(57)【要約】      （修正有）【課題】金物そのものとその取付けが堅固で作業性及び施工性も良好である。【解決手段】両端をＵ字型に折り返して形成した溝部１２、１３を有するＬ字型金具５と、両に平坦部１７、１８を備えた補強板１６から成り、まず木材１、２にＬ字型金具５を複数の締結具２０で固定すると共に、フランジ２８を有するブッシュ２６の円筒部２７をＬ字型金具５と木材のザグリ部３、４に嵌入し小径穴２９に締結具２４を挿通して固定する。次に補強板１６の平坦部１７、１８をＬ字型金具５の溝部１２、１３に差込んで締結具２５で固定する。更に補強板１６には補強リブでもある平面１９があって筋かい３０を固定することが出来る。【選択図】図１
0003117009.tif 000002
【実用新案登録請求の範囲】
【請求項１】
木材の接合部位の直角面に木ねじ、釘、ボルト等の締結具により固定されるＬ字型かど金物に於いて、Ｌ字型を構成する面６と面７には締結具２０が挿通する複数の小穴８、９とフランジ２８を有し中心に締結具２４が挿通する小径穴２９を有するブッシュ２６の円筒部２７が嵌入する穴１０、１１を設け、更に面６と面７の先端をＬ字型の内側にＵ字型に折り返して溝部１２、１３を形成したＬ字型金具５と、複数の小穴２１、２２を有し面６と面７とにそれぞれ接する向きの平坦部１７、１８を両端に形成した補強板１６とから成り、木材１、２の接合部位にＬ字型金具５を締結具２０で固定すると共に、ブッシュ２６の円筒部２７を面６、７の穴１０、１１と木材１、２のザグリ穴３、４に嵌入し小径穴２９に締結具２４を挿通して固定し、更にＬ字型金具５の両端の溝部１２、１３に補強板１６の両端の平坦部１７、１８をそれぞれ差入れ、締結具２５により補強板１６をＬ字型金具５と共に木材１、２に固定したＬ字型かど金物。
【請求項２】
補強板１６の両端に形成した平坦部１７と１８間に該平坦部と直角な平面１９を形成し、該平面１９に筋かい３０等を固定するための複数の小穴２３を設けた請求項１のＬ字型かど金物。
【考案の詳細な説明】
【技術分野】
【００１】  木造家屋に用いられる構造部材としての木材は一般的に直角に接合する。その接合部位には種々の補強金物が使用され考案も多々提案されている。本考案はその金物に関する考案である。
【背景技術】
【００２】  木材が接合する部位の直角面に使用されているかど金物の例を図４（イ）、（ロ）、（ハ）に示す。（イ）、（ロ）は土台と柱あるいは柱と横架材の接合直角面を補強したＬ字型かど金物の変形である。（ハ）は階段の段板を下から支えるかど金物でありＬ字型金物を固定してから補強板を共締めしＬ字型を強化したものである。尚この金物はＬ字型金物と補強板が一ヶ所鳩目でかしめられていて回動自在のセットになっている。
【考案の開示】
【考案が解決しようとする課題】
【００３】  木材の接合部位のＬ字型かど金物は接合部位の強度を増すためであるから金物そのものの強度と木材への取付けの堅牢さが求められる。金物の強度については図４（イ）、（ロ）に示すようにＬ字の内側にリブを設ける方法が一般的に行なわれている。しかしながら金物を木材に取付ける時電動ドライバーあるいはハンマーを使用するが補強リブが邪魔をして作業性が悪い。Ｌ字型のかど金物の巾を広く設定出来れば空間を確保できるが木材の接合部位には筋かいが交差したり他の金物例えば引寄せ羽子板等があり、むしろ巾の狭い金物が望まれるところである。また、図４の（ハ）に示すかど金物はＬ字型金物をまず取付ける際、補強板は回動して逃がしておくことが出来るので作業空間は得られそうであるが、実際場面では補強板を自由に回動する空間も存在しない場合がある。いずれの金物も取付けの作業性、施工性に課題がある。
また、仮にこれらの課題が解決して強固な金物が出来たとしても木材への取付けが堅固でなくては無意味である。そこで現在広く行なわれている方法は、金物を木材へ固定するためのビスと呼ばれる木ねじ、各種釘、ボルト等の締結具の使用本数を増すことである。本数増加は金物の取着面が広くなり金物が大きくなる。大きく出来ない事情が一般的であるから大きさを変えないとすると締結具の芯間を狭くして対応する。しかしながら芯間が詰ると木材の強度が低下し裂き割れを生ずる。別には本数が増加すると施工工数が増加する等々の課題が多い。
【課題を解決するための手段】
【００４】  前記課題を解決するために本考案者は、木材の接合部位の直角面に木ねじ、釘、ボルト等の締結具により固定されるＬ字型かど金物に於いて、Ｌ字型を構成する面６と面７には締結具２０が挿通する複数の小穴８、９とフランジ２８を有し中心に締結具２４が挿通する小径穴２９を有するブッシュ２６の円筒部２７が嵌入する穴１０、１１を設け、更に面６と面７の先端をＬ字型の内側にＵ字型に折り返して溝部１２、１３を形成したＬ字型金具５と、複数の小穴２１、２２を有し面６と面７とにそれぞれ接する向きの平坦部１７、１８を両端に形成した補強板１６とから成り、木材１、２の接合部位にＬ字型金具５を締結具２０で固定すると共に、ブッシュ２６の円筒部２７を面６、７の穴１０、１１と木材１、２のザグリ穴３、４に嵌入し小径穴２９に締結具２４を挿通して固定し、更にＬ字型金具５の両端の溝部１２、１３に補強板１６の両端の平坦部１７、１８をそれぞれ差入れ、締結具２５により補強板１６をＬ字型金具５と共に木材１、２に固定したＬ字型かど金物とすることによって、更にまた補強板１６の両端に形成された平坦部１７と１８間に該平坦部と直角な平面１９を形成し、該平面１９に筋かい３０等を固定するための複数の小穴２３を設けたＬ字型かど金物とすることによって目的を達した。
【考案の効果】
【００５】  本考案のＬ字型かど金物はまず初めにＬ字型金具５を木材１、２の接合部位に固定する。補強板１６はまだ取付けられていないので金具５の取付作業空間は充分にある。狭く煩雑な骨組構造の中での作業は順調に進められる。次に補強板１６はＬ字型金具５と共に固定される形となり、結果、本考案のかど金物はその両端間をリブによって連結した構造となり極めて高い強度のかど金物となる。
また筋かい３０を補強板１６に取付けることが出来るものである。筋かい３０に板軸方向に引張力が作用しても補強板１６は複数の締結具２５の他に両端の平坦部１７、１８が溝部１２、１３の折返し部によって係止されＬ字型金具から離脱することなく強固に固定されている。更にＬ字型金具５は複数の締結具２０の他に通常に使用される締結具より遥かに径大なブッシュ２６を介して固定されている。従って締結部材の剪断耐力は強大である。それ故に締結具の使用本数も極めて少なくてよいわけである。また木材１、２のザグリ穴３、４に嵌入している円筒部２７は径大でありかつねじ溝のような危険断面がないので木材に極圧が掛からず、木材の裂き割れが生じにくい。
【考案を実施するための最良の形態】
【００６】  以下本考案の実施形態について図面にて説明する。
図１は木材の接合部位とＬ字型かど金物を説明のために分解した状態の斜視図である。図２はＬ字型かど金物を木材の接合部位に固定した状態の側断面図である。主として図１と図２により説明を進める。
Ｌ字型金具５は直角に曲げられ面６、面７より成っている。各面には木ねじ、釘、ボルト等の締結具２０の挿通する複数の小穴８、９が、またブッシュ２６の円筒部２７が嵌入する穴１０、１１がある。面６、７の先端は木材１、２と当接する面と反対側にＵ字型に折り返して溝部１２、１３を形成している。
次に補強板１６の両端には平坦部１７、１８が形成れ、平坦部１７、１８はＬ字型金具５の直角を成す面６、７に接する向きに設けられている。平坦部１７と１８間には、該平坦部１７、１８と直角をなす平面１９がある。つまり平面１９は平坦部１７、１８の中心にＴ字型に結合している形である。平坦部１７、１８には面６、７の小穴１４、１５に対応する位置に小穴２１、２２があり締結具２５が挿通する。また平坦部１７と１８の各先端はＬ字型金具５の溝１２と１３に嵌り込む寸法に形成されている。
ブッシュ２６には円筒部２７フランジ２８とブッシュ２６を木材１、２に固定する締結具２４が挿通する小径穴２９がある。
木材１、２は直角に接合された土台と柱、柱と横架材であり、木材１、２には予めブッシュ２６の円筒部２７が嵌入するザグリ穴３、４が明けられている。
以上の構成の金物である。次に組立について説明する。
まずＬ字型金具５を複数の締結具２０により木材１、２の直角面に固定する。次にブッシュ２６の円筒部２７を面６、７の穴１０、１１から木材１、２のザグリ穴３、４に嵌入し小径穴２９に締結具２４を挿通してブッシュ２６を固定する。フランジ２８がＬ字型金具５の面６、７を押さえることになる。
Ｌ字型金具５を固定した後、補強板１６の両端の平坦部１７、１８をＬ字型金具５の両端のＵ字型の溝１２、１３に滑り込ませ複数の締結具２５によりＬ字型金具５と共に固定する。この場合、締結具２５は補強板１６の端部にあって平面１９の高さが低いところであるので締結作業に支障はない。尚、締結具２０、２４、２５それぞれ符号を付けているが同一のものであってもよい。
以上によりＬ字型かど金物の取付けは完了するが、更に補強板１６の平面１９には小穴２３があって、筋かい３０を取付けることが出来る。
【図面の簡単な説明】
【図１】木材の接合部位と本考案のＬ字型かど金物を分解して示した説明用の斜視図。
【図２】木材の接合部位に本考案のＬ字型かど金物を固定した状態の側断面図。
【図３】図２の正面図
【図４】（イ）、（ロ）、（ハ）現在既に使用されている接合部位のＬ字型かど金物。
【符号の説明】
１、２、木材
３、４、ザグリ穴
５、Ｌ字型金具
６、７、面
８、９、小穴
１０、１１、穴
１２、１３、溝部
１４、１５、小穴
１６、補強板
１７、１８、平坦部
１９、平面
２０、締結具
２１、２２、小穴
２３、小穴
２４、締結具
２５、締結具
２６、ブッシュ
２７、円筒部
２８、フランジ
２９、小径穴
３０、筋かい
【図１】
0003117009.tif 000003
【図２】
0003117009.tif 000004
【図３】
0003117009.tif 000005
【図４】
0003117009.tif 000006